【手続補正書】
【提出日】平成19年1月25日(2007.1.25)
【手続補正１】
【補正対象書類名】特許請求の範囲
【補正対象項目名】全文
【補正方法】変更
【補正の内容】
【特許請求の範囲】
【請求項１】
シート材料をテーブル上に吸引して保持し、予め設定されるデータに従って裁断刃をテーブルに対して移動させる裁断機で、裁断を行う際の吸引調整方法であって、
裁断済みの部分を密閉シートで覆って洩れの増大を防ぎながら、
裁断の進行に従い、裁断済みの部分からの洩れ具合を把握して、洩れによるテーブル上でのシート材料への保持力の低下を補うように、かつ密閉シートの被覆状態を考慮して吸引状態を調整することを特徴とする裁断機の吸引調整方法。
【請求項２】
前記吸引状態の調整は、裁断の試行結果に基づいて行うことを特徴とする請求項１記載の裁断機の吸引調整方法。
【請求項３】
前記吸引状態の調整は、裁断の進行に伴う予測に基づいて行うことを特徴とする請求項１または２記載の裁断機の吸引調整方法。
【請求項４】
前記吸引状態の調整は、裁断の進行に従って段階的に行うことを特徴とする請求項１〜３のいずれか１つに記載の裁断機の吸引調整方法。
【請求項５】
前記裁断の進行に従う段階的な吸引状態の調整は、前記シート材料から裁断するパーツを基準に行うことを特徴とする請求項４記載の裁断機の吸引調整方法。
【請求項６】
シート材料を吸引してテーブル上に保持する裁断機で、予め設定されるデータに従って裁断ヘッドを移動させてシート材料を裁断する際に、吸引状態を調整するための裁断機の吸引調整装置であって、
裁断済みの部分を密閉シートで覆って洩れの増大を防ぐマスク被覆手段と、
裁断済みの部分からの洩れ具合を把握して、洩れによるテーブル上でのシート材料への保持力の低下を補うように、かつ密閉シートの被覆状態を考慮して、吸引状態を調整する吸引量調整手段とを含むことを特徴とする裁断機の吸引調整装置。
【請求項７】
前記吸引量調整手段は、
裁断済みの部分の裁断距離に対して、該裁断済みの部分からの洩れ具合を補う吸引状態の調整量の関係を、予め対応付けて記憶しておく関係記憶手段と、
シート材料を裁断するデータを入力するデータ入力手段と、
データ入力手段に入力されるデータに基づいて、裁断の進行に伴う裁断距離の増加量を算出する距離算出手段と、
距離算出手段によって算出される裁断距離の増加量に応じ、関係記憶手段を参照して、裁断距離に対する吸引状態の調整量の関係に基づき、吸引状態の調整量を算出する調整量算出手段とを含むことを特徴とする請求項６記載の裁断機の吸引調整装置。
【請求項８】
前記裁断機は、前記裁断済みの部分のうち、前記マスク被覆手段の密閉シートで覆われる部分の裁断距離を算出するマスク算出手段をさらに含み、
前記調整量算出手段は、前記距離算出手段によって算出される裁断距離の増加量を、マスク算出手段によって算出される密閉シートで覆われる部分の裁断距離で補正して、前記吸引状態の調整量を算出するための裁断距離の増加量とすることを特徴とする請求項７記載の裁断機の吸引調整装置。
【請求項９】
前記調整量算出手段によって算出される吸引状態の調整量を、シート材料の裁断の進行に関連付けて表示する調整量表示手段と、
調整量表示手段によって表示する調整量に対し、調整量の修正を入力する修正入力手段と、
修正入力手段への入力に従って、調整量を修正する調整量修正手段とをさらに含むことを特徴とする請求項７または８記載の裁断機の吸引調整装置。
【請求項１０】
コンピュータを、請求項６〜９のいずれか１つに記載の裁断機の吸引調整装置として機能させるためのプログラム。
【手続補正２】
【補正対象書類名】明細書
【補正対象項目名】００１５
【補正方法】変更
【補正の内容】
【００１５】
本発明は、シート材料をテーブル上に吸引して保持し、予め設定されるデータに従って裁断刃をテーブルに対して移動させる裁断機で、裁断を行う際の吸引調整方法であって、
裁断済みの部分を密閉シートで覆って洩れの増大を防ぎながら、
裁断の進行に従い、裁断済みの部分からの洩れ具合を把握して、洩れによるテーブル上でのシート材料への保持力の低下を補うように、かつ密閉シートの被覆状態を考慮して吸引状態を調整することを特徴とする裁断機の吸引調整方法である。
【手続補正３】
【補正対象書類名】明細書
【補正対象項目名】００１８
【補正方法】削除
【補正の内容】
【手続補正４】
【補正対象書類名】明細書
【補正対象項目名】００２１
【補正方法】変更
【補正の内容】
【００２１】
さらに本発明は、シート材料を吸引してテーブル上に保持する裁断機で、予め設定されるデータに従って裁断ヘッドを移動させてシート材料を裁断する際に、吸引状態を調整するための裁断機の吸引調整装置であって、
裁断済みの部分を密閉シートで覆って洩れの増大を防ぐマスク被覆手段と、
裁断済みの部分からの洩れ具合を把握して、洩れによるテーブル上でのシート材料への保持力の低下を補うように、かつ密閉シートの被覆状態を考慮して、吸引状態を調整する吸引量調整手段とを含むことを特徴とする裁断機の吸引調整装置である。
また本発明で、前記吸引量調整手段は、
裁断済みの部分の裁断距離に対して、該裁断済みの部分からの洩れ具合を補う吸引状態の調整量の関係を、予め対応付けて記憶しておく関係記憶手段と、
シート材料を裁断するデータを入力するデータ入力手段と、
データ入力手段に入力されるデータに基づいて、裁断の進行に伴う裁断距離の増加量を算出する距離算出手段と、
距離算出手段によって算出される裁断距離の増加量に応じ、関係記憶手段を参照して、裁断距離に対する吸引状態の調整量の関係に基づき、吸引状態の調整量を算出する調整量算出手段とを含むことを特徴とする。
【手続補正５】
【補正対象書類名】明細書
【補正対象項目名】００２２
【補正方法】変更
【補正の内容】
【００２２】
また本発明で、前記裁断機は、前記裁断済みの部分のうち、前記マスク被覆手段の密閉シートで覆われる部分の裁断距離を算出するマスク算出手段をさらに含み、
前記調整量算出手段は、前記距離算出手段によって算出される裁断距離の増加量を、マスク算出手段によって算出される密閉シートで覆われる部分の裁断距離で補正して、前記吸引状態の調整量を算出するための裁断距離の増加量とすることを特徴とする。
【手続補正６】
【補正対象書類名】明細書
【補正対象項目名】００２５
【補正方法】変更
【補正の内容】
【００２５】
本発明によれば、裁断機で裁断を行う際に、密閉シートで覆って洩れの増大を防ぎながら、裁断済みの部分からの洩れ具合を把握して、洩れによるテーブル上でのシート材料への保持力の低下を補うように、吸引状態を調整するので、シート材料への圧縮の程度の変動を抑え、弾性を有するシート材料でも、適切な圧縮状態で裁断を行うことができる。過大な吸引による過剰な圧縮を避けることができるので、裁断精度を向上させ、省エネルギも図ることができる。吸引状態の調整は、密閉シートの被覆状態を考慮して行うので、裁断の進行とともに漏洩量の増加が抑制されると、シート材料の圧縮状態の変動をさらに抑えることができる。
【手続補正７】
【補正対象書類名】明細書
【補正対象項目名】００２８
【補正方法】削除
【補正の内容】
【手続補正８】
【補正対象書類名】明細書
【補正対象項目名】００３０
【補正方法】変更
【補正の内容】
【００３０】
また本発明によれば、裁断の進行に従う段階的な吸引状態の調整は、シート材料から裁断するパーツを基準に行うので、パーツ間で裁断刃がいったんシート材料から離れるタイミングなどで吸引調整を行うことができ、調整の設定をわかりやすくすることができる。
また本発明によれば、裁断機で裁断を行う際に、密閉シートで覆って洩れの増大を防ぎながら、裁断済みの部分からの洩れ具合を把握して、洩れによるテーブル上でのシート材料への保持力の低下を補うように、吸引状態を調整する。吸引状態の調整は、密閉シートの被覆状態を考慮して行うので、裁断の進行とともに漏洩量の増加が抑制されると、シート材料の圧縮状態の変動をさらに抑えることができる。
【手続補正９】
【補正対象書類名】明細書
【補正対象項目名】００３２
【補正方法】変更
【補正の内容】
【００３２】
また本発明によれば、裁断済みの部分のうち、マスク被覆手段の密閉シートで覆われる部分の裁断距離を算出するマスク算出手段をさらに含むので、密閉シートで覆われる裁断済みの部分の裁断距離を確実に求めることができる。調整量算出手段は、距離算出手段によって算出される裁断距離の増加量を、マスク算出手段によって算出される密閉シートで覆われる部分の裁断距離で補正する。吸引状態の調整量を算出するための裁断距離の増加量を補正するので、密閉シートを用いる場合の適切な吸引調整を行うことができる。
【手続補正１０】
【補正対象書類名】明細書
【補正対象項目名】００４３
【補正方法】変更
【補正の内容】
【００４３】
シート材料１で、裁断刃１４による裁断済みの部分は、裁断の進行とともに増大する。裁断済みの部分からの空気の漏洩を防止するために、ガイドブリッジ１３とテーブル２の搬出側との間には、非通気性の密閉シート２０が被せられる。密閉シート２０も合成樹脂フィルムなどであり、ガイドブリッジ１３が保持するローラ２７から繰出される。ローラ２７は、ガイドブリッジ１３から搬出側に突出するブラケット２２，２３で支持され、Ｘ方向移動部１１，１２の移動に連動する機構で繰出しと巻取りとが行われる。この機構については、特許文献４で詳細に説明されている。ローラ２７の位置が裁断刃１４の位置よりも搬出側になるので、ローラ２７と裁断刃１４との間の間隔では、裁断済みの部分でも密閉シート２０で覆うことができない。なお、密閉シート２０と同様な非通気性シートを、搬入側で使用することも可能であり、裁断の途中で、裁断刃１４が既に裁断済みの部分よりも搬入側に移動しているような場合に、空気の漏洩を減少させることができる。